(57)【要約】      （修正有）【課題】クリップ体を構成する部品点数が少なく、クリップ体のデザイン変更の幅が大きく、クリップ体を用いて被挟持材を挟持する際に引っかからずに滑らかに挟持することが可能であるファイルを提供する。【解決手段】表紙体２０と挟持構造４０とを備え、挟持構造４０はクリップ体６０と押え体１００とにより構成され、クリップ体６０はクリップ基部６２とクリップ押え部６５とを含み、押え体１００は、押え体内面が被挟持材の端縁および／又はその近傍をベース体２４に押え付けて挟持し、回転軸７８を中心としてベース体２４に近づく方向に回動するクリップ押え部６５に最初に当接される部分において、微小な孔９０が形成され、クリップ押え部６５により閉じられる方向に孔９０を起点として連続的に押え体１００が押圧されることによって、閉じられる、ファイル１０。【選択図】図２
2019030978.tif 000002
【特許請求の範囲】
【請求項１】
被挟持材を綴じる表紙体と、
被挟持材の端縁および／又はその近傍を表紙体に押え付けて挟持することにより、被挟持材を前記表紙体に対して保持するための挟持構造と、を備えるファイルであって、
前記表紙体は、ベース体により構成され、
前記ベース体は、
前記ベース体の第１の端縁の少なくとも一部に沿って延在するヒンジ部と、
前記ヒンジ部の端縁から前記ベース体の内面に沿うように屈曲する押え体と、を備え、
前記挟持構造は、回転軸により前記表紙体に取り付けられたクリップ体と、前記押え体と、により構成され、
前記クリップ体は、前記ベース体の第１の端縁およびその近傍の外面側に厚さ方向において重なり合うクリップ基部と、前記ベース体の第１の端縁およびその近傍の内面側に前記厚さ方向において重なり合うことを可能とするクリップ押え部と、を含み、
前記押え体は、
押え体外面と押え体内面とを備えるシート状部材であり、
前記ヒンジ部によって前記厚さ方向に開閉可能であり、かつ、前記クリップ押え部によって前記ベース体に向かって前記押え体外面が押え付けられることが可能であるように構成され、
外力が加えられていない状態において、前記ベース体の内面から離間して前記厚さ方向において開いた状態となり、
前記ベース体との間に被挟持材が載置される時に、前記クリップ押え部に前記押え体外面が押圧されることにより、前記厚さ方向に閉じられ、前記押え体内面が被挟持材の端縁および／又はその近傍を前記ベース体に押え付けて挟持し、
前記回転軸を中心として前記ベース体に近づく方向に回動する前記クリップ体の前記クリップ押え部に最初に当接される部分において、微小な孔が形成され、
前記クリップ体の回動に伴い、前記クリップ押え部により閉じられる方向に前記孔を起点として連続的に前記押え体外面が押圧されることによって、閉じられる、ことを特徴とする、
ファイル。
【請求項２】
被挟持材を綴じる表紙体と、
被挟持材の端縁および／又はその近傍を表紙体に押え付けて挟持することにより、被挟持材を前記表紙体に対して保持するための挟持構造と、を備えるファイルであって、
前記表紙体は、ベース体により構成され、
前記ベース体は、
前記ベース体の第１の端縁の少なくとも一部に沿って延在するヒンジ部と、
前記ヒンジ部の端縁から前記ベース体の内面に沿うように屈曲する押え体と、を備え、
前記挟持構造は、回転軸により前記表紙体に取り付けられたクリップ体と、前記押え体と、により構成され、
前記クリップ体は、前記ベース体の第１の端縁およびその近傍の外面側に厚さ方向において重なり合うクリップ基部と、前記ベース体の第１の端縁およびその近傍の内面側に前記厚さ方向において重なり合うことを可能とするクリップ押え部と、を含み、
前記クリップ押え部は、
円弧を描くように湾曲しながら延び、その先端部が前記クリップ基部の内面近傍まで至る板状の形状に形成され、
前記クリップ基部と最も近い部分であって前記押え体を押圧する部分である押圧部を備え、
前記押圧部は、１つ又は複数の突起を有し、
前記押え体は、
押え体外面と押え体内面とを備えるシート状部材であり、
前記ヒンジ部によって前記厚さ方向に開閉可能であり、かつ、前記クリップ押え部の前記押圧部によって前記ベース体に向かって前記押え体外面が押え付けられることが可能であるように構成され、
前記押え体外面から前記押え体内面に貫通し前記１つ又は複数の突起に対応する１つ又は複数の突起挿通孔が形成され、
外力が加えられていない状態において、前記ベース体の内面から離間して前記厚さ方向において開いた状態となり、
前記回転軸を中心として前記ベース体に近づく方向に回動する前記クリップ体の前記クリップ押え部の前記押圧部に最初に当接される部分において、微小な孔が形成され、
前記ベース体との間に被挟持材が載置される時に、前記クリップ体の回動に伴い、前記クリップ押え部の前記押圧部により閉じられる方向に前記孔を起点として連続的に前記押え体外面が押圧されることによって、閉じられ始め、
前記クリップ体が更に回動して、前記クリップ押え部の前記押圧部は、前記押え体外面上を摺動しながら前記押え体外面を押圧して、前記押え体を閉じ、
前記クリップ体の回動後、前記押圧部の前記１つ又は複数の突起は、前記押え体の前記１つ又は複数の突起挿通孔を挿通して、被挟持材の端縁および／又はその近傍を直接的に押圧して前記ベース体に押え付けて挟持する、
ファイル。
【請求項３】
前記孔は、前記押え体が開いた状態において、半径が略２ｍｍの略円形状の孔である、請求項１又は請求項２に記載のファイル。
【請求項４】
前記孔は、前記押え体が開いた状態において、ヒンジ部を跨いで、押え体及びベース体に穿孔されて形成される、請求項１又は請求項２に記載のファイル。
【請求項５】
前記孔は、前記回転軸から前記クリップ押え部の押圧部のうち最も近い点までの距離と同一の距離を隔てて形成されている、請求項１又は請求項２に記載のファイル。
【発明の詳細な説明】
【技術分野】
【０００１】
この発明は、ファイルに関し、特に、孔を開けずに用紙等を挟持して保持するための、挟持構造を備えたファイルに関する。
【背景技術】
【０００２】
用紙などをベース体の表面に押え付けて挟持するための挟持構造が知られている。このような挟持構造は、例えば、平面視矩形状のベース体の端縁に取り付けられ、当該ベース体の表面に載置された用紙の端縁およびその近傍を挟持する。このように用紙の端縁およびその近傍を挟持して保持することにより、用紙に文字などを記入したり、用紙を収納および携帯したりすることが容易になり得る。このような挟持構造として、例えば、特許文献１に記載された綴じ具がある。
【０００３】
特許文献１の綴じ具は、孔を開けずに用紙等を挟持して綴じるファイルである。このファイルの挟持構造を構成する綴じ具１０は、挟持片７２を介して被挟持物を挟持するための一対の挟持部材１６ａ、１６ｂを含む。挟持部材１６ａには、被挟持物を挿入部２２へ導入し易くするためのガイド部材１４が揺動可能に係着されている。
【先行技術文献】
【特許文献】
【０００４】
【特許文献１】特開平１０−１９３８６０号公報
【発明の概要】
【発明が解決しようとする課題】
【０００５】
しかし、従来の挟持構造を備えたファイルの１つである、特許文献１の綴じ具は、挟持部材１６ａにガイド部材１４が基板４０、突起４２、５０等を用いて揺動可能に係着されているため、構造が複雑となり、部品点数が多くなり、更に形状に制限がかかるためデザイン変更の幅が小さい。すなわち、従来の挟持構造を備えたファイルは、挟持片（押え体）を介して被挟持物を容易に挟持することを可能とする構造を実現するために、綴じ具（クリップ体）に改良が施されて、その構造を複雑とし、部品点数を多くし、デザイン変更の幅を小さくしていた。
【０００６】
さらに、従来の挟持構造を備えたファイルは、押え体とベース体との接続部分に形成されるヒンジ部が、２枚のシートが直線的かつ連続的に接続されて形成されているので、シート２枚分の厚みを有している。そのため、クリップ体の上側部材（クリップ押え部）は、クリップ体の内部にヒンジ部から押え体を導入しようとする際に、シート２枚分の厚みを乗り越える必要がある。したがって、ヒンジ部がクリップ体の上側部材（クリップ押え部）に引っかかるように作用することがあり、クリップ体を把持する人の手が導入時の瞬間だけ強い力を必要とするようになっていた。
【０００７】
そこで、本発明は、クリップ体を構成する部品点数が少なく、クリップ体のデザイン変更の幅が大きく、さらに、クリップ体を用いて被挟持材を挟持する際に引っかからずに滑らかに挟持することが可能であるファイルを提供することを目的とする。
【課題を解決するための手段】
【０００８】
この発明に係るファイルは、被挟持材を綴じる表紙体と、被挟持材の端縁および／又はその近傍を表紙体に押え付けて挟持することにより、被挟持材を表紙体に対して保持するための挟持構造と、を備えるファイルであって、表紙体は、ベース体により構成され、ベース体は、ベース体の第１の端縁の少なくとも一部に沿って延在するヒンジ部と、ヒンジ部の端縁からベース体の内面に沿うように屈曲する押え体と、を備え、挟持構造は、回転軸により表紙体に取り付けられたクリップ体と、押え体と、により構成され、クリップ体は、ベース体の第１の端縁およびその近傍の外面側に厚さ方向において重なり合うクリップ基部と、ベース体の第１の端縁およびその近傍の内面側に厚さ方向において重なり合うことを可能とするクリップ押え部と、を含み、押え体は、押え体外面と押え体内面とを備えるシート状部材であり、ヒンジ部によって厚さ方向に開閉可能であり、かつ、クリップ押え部によってベース体に向かって押え体外面が押え付けられることが可能であるように構成され、外力が加えられていない状態において、ベース体の内面から離間して厚さ方向において開いた状態となり、ベース体との間に被挟持材が載置される時に、クリップ押え部に押え体外面が押圧されることにより、厚さ方向に閉じられ、押え体内面が被挟持材の端縁および／又はその近傍をベース体に押え付けて挟持し、回転軸を中心としてベース体に近づく方向に回動するクリップ体のクリップ押え部に最初に当接される部分において、微小な孔が形成され、クリップ体の回動に伴い、クリップ押え部により閉じられる方向に孔を起点として連続的に押え体外面が押圧されることによって、閉じられる、ことを特徴とする。
この発明の請求項２に係るファイルは、被挟持材を綴じる表紙体と、被挟持材の端縁および／又はその近傍を表紙体に押え付けて挟持することにより、被挟持材を表紙体に対して保持するための挟持構造と、を備えるファイルであって、表紙体は、ベース体により構成され、ベース体は、ベース体の第１の端縁の少なくとも一部に沿って延在するヒンジ部と、ヒンジ部の端縁からベース体の内面に沿うように屈曲する押え体と、を備え、挟持構造は、回転軸により表紙体に取り付けられたクリップ体と、押え体と、により構成され、クリップ体は、ベース体の第１の端縁およびその近傍の外面側に厚さ方向において重なり合うクリップ基部と、ベース体の第１の端縁およびその近傍の内面側に厚さ方向において重なり合うことを可能とするクリップ押え部と、を含み、クリップ押え部は、円弧を描くように湾曲しながら延び、その先端部がクリップ基部の内面近傍まで至る板状の形状に形成され、クリップ基部と最も近い部分であって押え体を押圧する部分である押圧部を備え、押圧部は、１つ又は複数の突起を有し、押え体は、押え体外面と押え体内面とを備えるシート状部材であり、ヒンジ部によって厚さ方向に開閉可能であり、かつ、クリップ押え部の押圧部によってベース体に向かって押え体外面が押え付けられることが可能であるように構成され、押え体外面から押え体内面に貫通し１つ又は複数の突起に対応する１つ又は複数の突起挿通孔が形成され、外力が加えられていない状態において、ベース体の内面から離間して厚さ方向において開いた状態となり、回転軸を中心としてベース体に近づく方向に回動するクリップ体のクリップ押え部の押圧部に最初に当接される部分において、微小な孔が形成され、ベース体との間に被挟持材が載置される時に、クリップ体の回動に伴い、クリップ押え部の押圧部により閉じられる方向に孔を起点として連続的に押え体外面が押圧されることによって、閉じられ始め、クリップ体が更に回動して、クリップ押え部の押圧部は、押え体外面上を摺動しながら押え体外面を押圧して、押え体を閉じ、クリップ体の回動後、押圧部の１つ又は複数の突起は、押え体の１つ又は複数の突起挿通孔を挿通して、被挟持材の端縁および／又はその近傍を直接的に押圧してベース体に押え付けて挟持する。
この発明の請求項３に係るファイルは、孔が、押え体が開いた状態において、半径が略２ｍｍの略円形状の孔である。
この発明の請求項４に係るファイルは、孔が、押え体が開いた状態において、ヒンジ部を跨いで、押え体及びベース体に穿孔されて形成される。
この発明の請求項５に係るファイルは、孔が、回転軸からクリップ押え部の押圧部のうち最も近い点までの距離と同一の距離を隔てて形成されている。
【発明の効果】
【０００９】
本発明に係るファイルによれば、押え体は、押え体外面と押え体内面とを備えるシート状部材であり、ヒンジ部によって厚さ方向に開閉可能であり、かつ、クリップ押え部によってベース体に向かって押え体外面が押え付けられることが可能であるように構成され、外力が加えられていない状態において、ベース体の内面から離間して厚さ方向において開いた状態となり、ベース体との間に被挟持材が載置される時に、クリップ押え部に押え体外面が押圧されることにより、厚さ方向に閉じられ、押え体内面が被挟持材の端縁および／又はその近傍をベース体に押え付けて挟持し、回転軸を中心としてベース体に近づく方向に回動するクリップ体のクリップ押え部に最初に当接される部分において、微小な孔が形成され、クリップ体の回動に伴い、クリップ押え部により閉じられる方向に孔を起点として連続的に押え体外面が押圧されることによって、閉じられるので、クリップ押え部の短手端縁は、ヒンジ部に引っかかりやすい性質がある一方、クリップ体の長手方向に延在するクリップ押え部は、直線状に延在していることから、ヒンジ部に引っかかりにくいという性質があるところ、開放状態にあるクリップ体がベース体に近づく方向に回動して、クリップ押え部の最初に当接すべき点が孔に進入した後、ヒンジ部に引っかかりにくい性質を有するクリップ押え部は、短手端縁よりも先にヒンジ部に接触することが可能となり、孔を起点として滑らかに押え体外面に乗り上げ、押え体外面をベース体に押さえ付けることが可能となる。そして、孔の半径に相当する長さ分、当該最初に当接すべき点が押え体側に進入して、クリップ体が押え体側へ回動するので、クリップ押え部とヒンジ部との間のなす内角が小さくなることにより、クリップ押え部は、更に滑らかに押え体外面に乗り上げやすくなる。そして、押え体は、クリップ体の回動に伴い、クリップ押え部により閉じられる方向に孔を起点として連続的に押え体外面が押圧されることによって、閉じられる。
請求項２に係るファイルによれば、クリップ体の回動後、押圧部の１つ又は複数の突起は、押え体の１つ又は複数の突起挿通孔を挿通して、被挟持材の端縁および／又はその近傍を直接的に押圧してベース体に押え付けて挟持するので、クリップ体とベース体とによって直接的に被挟持材を挟持することができる。さらに、１つ又は複数の突起は、それぞれしっかりと１つ又は複数の突起挿通孔に嵌っているので、意図せずクリップ体がベース体から離れる方向に回動して被挟持材の挟持状態を開放してしまうことを防止することができる。
請求項３に係るファイルによれば、孔が、押え体が開いた状態において、半径が略２ｍｍの略円形状の孔であるので、クリップ押え部又はその押圧部が孔の内側に露出し得る被挟持材を傷つけることがない。
請求項４に係るファイルによれば、孔が、押え体が開いた状態において、ヒンジ部を跨いで、押え体及びベース体に穿孔されて形成されるので、回転軸を中心としてベース体に近づく方向に回動するクリップ体のクリップ押え部又はその押圧部に最初に当接される部分において、微小な孔が形成されることができる。
請求項５に係るファイルによれば、孔が、回転軸からクリップ押え部の押圧部のうち最も近い点までの距離と同一の距離を隔てて形成されているので、押圧部の当該最も近い点と孔とは、クリップ体の回動に伴い、確実に当接することができる。
【００１０】
したがって、本発明に係るファイルによれば、クリップ体を構成する部品点数が少なく、クリップ体のデザイン変更の幅が大きく、さらに、クリップ体を用いて被挟持材を挟持する際に引っかからずに滑らかに挟持することが可能である。
【００１１】
この発明の上述の目的、その他の目的、特徴及び利点は、図面を参照して行う以下の発明を実施するための形態の説明から一層明らかとなろう。
【図面の簡単な説明】
【００１２】
【図１】この発明の一実施の形態に係るファイルに被挟持材である用紙を挟持させた状態を内面側から見た平面図である。
【図２】この発明の一実施の形態に係るファイルの表紙体を内面側から見た際の特にベース体、被包シート体及び挟持構造の平面図である。
【図３】この発明の一実施の形態に係るファイルの表紙体のうちベース体、押え体および表表紙部を示した平面図である。
【図４】この発明の一実施の形態に係るファイルの表紙体の図３に示すＩＶ−ＩＶ断面図であり、（Ａ）は押え体が完全に開いた状態の断面図であり、（Ｂ）は押え体が完全に閉じた状態の断面図である。
【図５】この発明の一実施の形態に係る挟持構造のクリップ体を表した図であり、（Ａ）は内面側から見た平面図であり、（Ｂ）は外面側から見た平面図であり、（Ｃ）は右側面図であり、（Ｄ）は正面図であり、（Ｅ）はクリップ体をベース体に固定するための固定部材の正面図である。（（Ａ）の第１当接点７６ａの点は仮想的に示した点であり、クリップ体の形状として視認できる点ではない。他の図においても同じ。）
【図６】この発明の一実施の形態に係るファイルの図１に示すＶＩ―ＶＩ断面図である。
【図７】この発明の一実施の形態に係る挟持状態にあるファイルを内面側から見た挟持構造のクリップ体および押え体の近傍の拡大平面図である（表表紙部は開いた状態である）。
【図８Ａ】この発明の一実施の形態に係るファイルが被挟持材を開放している状態から挟持する状態への過程のうちの、クリップ体の押圧部が押え体に最初に当接する直前の状態の拡大平面図である。
【図８Ｂ】この発明の一実施の形態に係るファイルが被挟持材を開放している状態から挟持する状態への過程のうちの、クリップ体の押圧部が押え体に最初に当接した瞬間から少し進んだ状態の拡大平面図である。
【図９】（Ａ）は、図８ＡのＩＸ−ＩＸ断面図であり、（Ｂ）は、（Ａ）のＩＸＢ−ＩＸＢ断面図であって押え体およびその孔のみを表した図である。
【図１０】この発明の一実施の形態に係るファイルを内面側から見た斜視図である。
【図１１】ファイルが被挟持材を開放している状態から挟持する状態への過程において、クリップ体の押圧部の第１当接点が描く軌跡を強調して描いた図であり、（Ａ）はこの発明に係る孔がない場合の拡大平面図であり、（Ｂ）はこの発明に係る孔がない場合の断面図であり、（Ｃ）はこの発明に係る孔がある場合の拡大平面図であり、（Ｄ）はこの発明に係る孔がある場合の断面図である。
【図１２】この発明の他の実施の形態に係るファイルに被挟持材である用紙を挟持させた状態を内面側から見た平面図である。
【図１３】この発明の他の実施の形態に係るファイルの表紙体のうちベース体、押え体および表表紙部を示した平面図である。
【図１４】この発明の他の実施の形態に係る挟持構造のクリップ体を表した図であり、（Ａ）は内面側から見た平面図であり、（Ｂ）は外面側から見た平面図であり、（Ｃ）は右側面図であり、（Ｄ）は（Ａ）のＸＩＶＤ−ＸＩＶＤ断面図であり、（Ｅ）は正面図であり、（Ｆ）は（Ａ）のＸＩＶＦ−ＸＩＶＦ断面図である。
【図１５】この発明の他の実施の形態に係る挟持状態にあるファイルを内面側から見た挟持構造のクリップ体および押え体の近傍の拡大平面図である（表表紙部は開いた状態である）。
【図１６】図１５の断面図であり、（Ａ）はＸＶＩＡ−ＸＶＩＡ断面図であり、（Ｂ）はＸＶＩＢ−ＸＶＩＢ断面図である。
【発明を実施するための形態】
【００１３】
＜一実施の形態＞
この発明の一実施の形態に係る挟持構造を備えたファイル１０について、主として図１ないし図１１に基づいて説明する。図１は、この発明の一実施の形態に係るファイルに被挟持材である用紙を挟持させた状態を内面側から見た平面図である。図２は、この発明の一実施の形態に係るファイルの表紙体を内面側から見た際の特にベース体、被包シート体及び挟持構造の平面図である。なお、以下に示す実施の形態は本発明を具体化した一例であって、本発明の技術的範囲を限定するものではない。
【００１４】
なお、以下において高さ方向とは、図１０に示すように、挟持構造を備えた表紙体２０のベース体２４の上端縁２４ｃとそれに相対する下端縁２４ｄとを結ぶ方向である。また、幅方向とは、図１０に示すように、高さ方向に直交し、且つベース体２４の左端縁２４ａとそれに相対する右端縁２４ｂとを結ぶ方向である。さらに、厚さ方向とは、図１０に示すように、高さ方向と幅方向の両方に直交し、且つ被挟持材を挟み込む方向である。
また、外向き又は外側とは、被挟持材から遠ざかる向き又は側をいう。また、内向き又は内側とは、被挟持材に近づく向き又は側をいう。
【００１５】
ファイル１０は、平面視略矩形状の表紙体２０と、後述する背表紙部２６の近傍においてベース体２４に形成された挟持構造４０と、を備える。
【００１６】
（表紙体２０）
次に、図１および図２を参照しながら、上述した挟持構造が形成されるファイル１０の表紙体２０について、説明する。
表紙体２０は、ファイル１０で被挟持材である用紙Ｐを挟持して綴じる際にその表紙となる部材であり、平面視略矩形状の表表紙部２２と、表表紙部２２と対向し裏表紙部を形成するベース体２４と、表表紙部２２とベース体２４とを連結する背表紙部２６と、被包シート体１２０と、を備える。表紙体２０は、たとえば、ポリプロピレン、ポリエチレン、ポリ塩化ビニルなどの合成樹脂材料で形成される。
ベース体２４は、挟持構造を構成するクリップ体６０を取り付けるためのベース体であって、同時にファイル１０の裏表紙部を構成している。
【００１７】
さらに、表紙体２０は、表表紙部２２と背表紙部２６とを接続する境界に形成された第１ヒンジ部２８と、ベース体２４と背表紙部２６とを接続する境界に形成された第２ヒンジ部３０と、を備える。これら第１ヒンジ部２８及び第２ヒンジ部３０は、互いに所定の間隔をおいて平行な２本の折り目線からなる。第１ヒンジ部２８及び第２ヒンジ部３０は、表表紙部２２、背表紙部２６およびベース体２４を板状またはロール状の原材料からトムソン加工で打ち抜く際に、同時にプレス加工で形成されるものである。なお、これら第１ヒンジ部２８及び第２ヒンジ部３０は、折り目線を２本形成することに限らず、それ以外の本数を形成してもよいのはもちろんである。
【００１８】
表紙体２０は、平面視略矩形状で、表表紙部２２と、ベース体２４と、背表紙部２６と、ベース体２４に溶着された被包シート体１２０と、を一体に構成されている。表紙体２０は、表表紙部２２と背表紙部２６とが第１ヒンジ部２８を介して一体に形成されている。また、ベース体２４と背表紙部２６とが第２ヒンジ部３０を介して一体に形成されている。
【００１９】
表紙体２０の幅方向の中央付近には、表表紙部２２を厚み方向に貫通して挟持構造を構成するクリップ体６０の通路となるべきクリップ体通路４２が穿設されている。このクリップ体通路４２は、たとえば後述するクリップ体６０のクリップ押え部６５の平面視における外形よりも少しだけ大きな平面視略台形状に形成される。クリップ体通路４２の上端には、クリップ押え部６５の上端部の通路となる略三角形状の端部通路４４が形成される。したがって、クリップ体通路４２と端部通路４４とを一体として見れば、図１に示すように台形状の貫通孔が形成されていることになる。なお、端部通路４４の形状は、この実施形態のものに限定されるものでない。
【００２０】
クリップ体通路４２には、被挟持材たる用紙Ｐの幅方向一端側の中央部を、被包シート体１２０との間に挟持するための短冊状の押え体１００が配置される。この押え体１００の大きさは、たとえばクリップ体通路４２の大きさよりも少しだけ小さく形成される。押え体１００は、その幅方向の一端側がベース体２４に第３ヒンジ部１０４を介して一体に接続される。第３ヒンジ部１０４は、図１および図２に示すように、上述した第２ヒンジ部３０よりもベース体２４の幅方向中心よりに形成される。また、第３ヒンジ部１０４は、ベース体２４の高さ方向にのびる左端縁２４ａ（第１の端縁）の中間近傍に形成されており、その長さは左端縁２４ａ（第１の端縁）の概ね３分の１である。すなわち、第３ヒンジ部１０４は、ベース体２４の第１の端縁２４ａの少なくとも一部に沿って延在している。また、第２ヒンジ部３０と第３ヒンジ部１０４との間隔は、クリップ体６０のクリップ側部６４の幅方向の厚みとほぼ同じに形成される。したがって、押え体１００を第３ヒンジ部１０４で折り返し、背表紙部２６を第２ヒンジ部３０で折り返した際に、第３ヒンジ部１０４と第２ヒンジ部３０との間にクリップ体６０のクリップ側部６４の厚み分の段差が生じる。そのため、後述するように、クリップ体６０で押え体１００を挟持しながら、表表紙部２２を第１ヒンジ部２８および第２ヒンジ部３０で折り返してベース体２４と重ね合わせると、クリップ体６０のクリップ側部６４と背表紙部２６とが一直線に配列される。したがって、ファイル１０は、被挟持材を挟持している状態において、見栄えが良い状態となる。
【００２１】
クリップ体通路４２、端部通路４４、押え体１００および後述する孔９０は、表紙体２０を板状またはロール状の原材料からトムソン加工で打ち抜く際に、同時に、表紙体２０の中央部を所定形状に打ち抜いて形成される。このとき同時に第１ヒンジ部２８、第２ヒンジ部３０、第３ヒンジ部１０４が、プレス加工により形成される。なお、上述の第１ヒンジ部２８、第２ヒンジ部３０、第３ヒンジ部１０４は、従来からヒンジを形成するために行われているのと同様に、それぞれ表紙体２０の主面を断面略凹字形状に凹ませて形成されるものである。
【００２２】
また、ベース体２４には、図２および図３に示すように、クリップ体６０を回動自在に枢着させるための取付孔４８が形成される。クリップ体６０は、回転軸７８を構成する固定部材８２の固定部材脚部８２ｂにより、取付孔４８およびクリップ体６０の回転軸孔８０を貫通してベース体２４に固定されている。
【００２３】
（ベース体２４）
この発明の一実施の形態に係る挟持構造を備えたファイルのベース体について、図３および図４に基づいて説明する。図３は、この発明の一実施の形態に係るファイルの表紙体のうちベース体、押え体および表表紙部を示した平面図である。図４は、この発明の一実施の形態に係るファイルの表紙体の図３に示すＩＶ−ＩＶ断面図であり、（Ａ）は押え体が完全に開いた状態の断面図であり、（Ｂ）は押え体が完全に閉じた状態の断面図である。
【００２４】
ベース体２４は、平面視略矩形状であって、その表面に用紙Ｐを載置するのに適した構造を備えており、幅方向において相対する左端縁２４ａ（第１の端縁）および右端縁２４ｂ（第２の端縁）と、高さ方向において相対する上端縁２４ｃ（第３の端縁）および下端縁２４ｄ（第４の端縁）とを含む。
ベース体２４は、左端縁２４ａが第２ヒンジ部３０を介して背表紙部２６に連設されている。
ベース体２４は、左端縁２４ａ（第１の端縁）の少なくとも一部に沿って延在する第３ヒンジ部１０４と、第３ヒンジ部１０４の端縁からベース体２４の内面に沿うように屈曲する押え体１００と、を備える。
【００２５】
ベース体２４は、左端縁２４ａの第２ヒンジ部３０の近傍を始端として切り欠くようにして形成された案内溝部４６と、左端縁２４ａの近傍において案内溝部４６からやや上端縁２４ｃよりの位置に穿設された平面視略円形状の取付孔４８を備える。
ベース体２４の案内溝部４６は、挟持構造４０を構成するクリップ体６０の可動規制部７０がその内壁に案内されて摺動するために形成される。案内溝部４６は、ベース体２４の上端縁２４ｃから左端縁２４ａ側へと円弧を描くように湾曲して延びる。案内溝部４６の先端部分（すなわち、左端部分）は、左端縁２４ａの近傍に位置する。
【００２６】
（挟持構造４０）
挟持構造４０は、ファイル１０で被挟持材である用紙Ｐを挟持して綴じる際に、被挟持材の端縁および／又はその近傍を表紙体２０のベース体２４に押え付けて挟持することにより、被挟持材を表紙体２０のベース体２４に対して保持するための構造である。すなわち、挟持構造４０は、用紙Ｐの左端縁の近傍を挟持してベース体２４の内面に用紙Ｐを保持できる構造を備えており、高さ方向と幅方向が交わる平面（すなわち、ファイル１０の見開いた状態を内面側から平面視したときに視認できる面）において、ベース体２４の左端縁２４ａの近傍に取り付けられる。挟持構造４０は、表紙体２０のベース体２４に回転軸７８により取り付けられベース体２４に対して回転可能なクリップ体６０と、ベース体２４の左端縁２４ａの近傍に取り付けられ、クリップ体６０の回転により厚さ方向において開閉し、クリップ体６０によって押圧されて挟持されるべき用紙Ｐ（被挟持材）に当接する押え体１００と、により構成される。
【００２７】
（クリップ体６０）
この発明の一実施の形態に係る挟持構造のクリップ体について、図５に基づいて説明する。図５（Ａ）は、この発明の一実施の形態に係る挟持構造のクリップ体を内面側から見たときの平面図である。図５（Ｂ）は、この発明の一実施の形態に係る挟持構造のクリップ体を外面側から見たときの平面図である。図５（Ｃ）は、この発明の一実施の形態に係る挟持構造のクリップ体の右側面図である。図５（Ｄ）は、この発明の一実施の形態に係る挟持構造のクリップ体を下方側から見たときの正面図である。図５（Ｅ）は、この発明の一実施の形態に係るクリップ体をベース体に固定するための固定部材の正面図である。
【００２８】
クリップ体６０は、ファイル１０の挟持構造４０を構成する部材であり、ベース体２４の左端縁２４ａ（第１の端縁）近傍に回転軸７８および可動規制部７０を介して取り付けられる。クリップ体６０の長手方向の長さは、例えば、ベース体２４の左端縁２４ａ（第１の端縁）の概ね３分の１の長さである。
クリップ体６０は、高さ方向と幅方向の交わる平面に延在する板状のクリップ基部６２と、クリップ基部６２の左端縁から屈曲して高さ方向と厚さ方向の交わる平面に延在する板状のクリップ側部６４と、クリップ側部６４の厚み方向上側端縁から屈曲して円弧を描くように湾曲しながら略右方へと延び、その先端部がクリップ基部６２の内面近傍まで至る板状のクリップ押え部６５と、クリップ押え部６５の右側端縁のうちの上側の一部からクリップ押え部６５の屈曲方向と逆に屈曲して、クリップ基部６２から離間しながら略右方へと延びるガイド部６６と、を含む。
クリップ基部６２は、ベース体２４の第１の端縁２４ａおよびその近傍の外面側に厚さ方向において重なり合う。
クリップ押え部６５は、クリップ体６０の回動に伴い、ベース体２４の第１の端縁２４ａおよびその近傍の内面側に厚さ方向において重なり合うことを可能とする。クリップ押え部６５は、クリップ押え部６５とガイド部６６との接続部分に形成されクリップ基部６２側に凸の形状を有する押圧部７６を有する。押圧部７６は、クリップ体６０の長手方向に延在しており、クリップ側部６４と平行に配設されている。押圧部７６は、クリップ押え部６５のうちのクリップ基部６２と最も近い部分であって押え体１００を押圧する部分である。押圧部７６のうち回転軸７８に最も近い点は、第１当接点７６ａである。第１当接点７６ａは、回転軸７８を中心としてベース体２４に近づく方向に回動するクリップ体６０のクリップ押え部６５の押圧部７６において最初に押え体１００に当接する点である。
クリップ基部６２の上側部分は、厚さ方向においてクリップ押え部６５と相対していない。クリップ基部６２の上端縁近傍に回転軸孔８０が設けられ、且つ回転軸孔８０の近傍であってその右側かつ下側に可動規制部７０が突設される。
クリップ体６０は、固定部材８２の固定部材脚部８２ｂが、クリップ体６０の回転軸孔８０と表紙体２０の取付孔４８に貫通し固定されることにより、固定部材８２の固定部材脚部８２ｂを枢軸として回転自在にベース体２４に固定される。
可動規制部７０は、ベース体２４に穿設された案内溝部４６を貫通し、且つ、ベース体２４に形成された案内溝部４６よりもベース体２４の内面側に位置する。
クリップ押え部６５の外面の下端縁近傍には、左側部分をクリップ側部６４と平行に延びるように指掛部６８が突設される。クリップ体６０は、ポリアセタール樹脂などの材料により一体成形されることが好ましい。
クリップ基部６２とクリップ側部６４との境界６４ａは、直線状である。クリップ側部６４とクリップ押え部６５との境界６４ｂは、直線状である。
境界６４ａと境界６４ｂとは、平行であり、後述する押え体１００の第３ヒンジ部１０４の厚みより長い間隔をおいて配置されている。
クリップ押え部６５は、クリップ側部６４側より押圧部７６側に至るに従ってクリップ基部６２との間隔が狭くなるように湾曲している。押圧部７６は、クリップ押え部６５の弾力性により、挟持状態において押え体１００をクリップ基部６２側に向けて厚さ方向に閉じるように構成されている。
ガイド部６６は、クリップ押え部６５とは逆に、クリップ基部６２との間隔が広がるように湾曲している。これにより、クリップ体６０をベース体２４に近づくように、回転軸７８を中心として右に回動させるときに、押え体１００を案内してクリップ押え部６５の押圧部７６に導くとともに、クリップ体６０がベース体２４の外面側の主面に回り込むことを防止する。
【００２９】
（押え体１００）
この発明の一実施の形態に係る押え体１００について、図６に基づいて説明する。図６は、この発明の一実施の形態に係るファイルの図１に示すＶＩ―ＶＩ断面図である。
【００３０】
押え体１００は、ベース体２４又は被包シート体１２０の内面に載置する被挟持材たる用紙Ｐをクリップ体６０で挟持しようとする際に、クリップ体６０のクリップ押え部６５が用紙Ｐ上で摺動して用紙Ｐを損傷しないよう、用紙Ｐとクリップ押え部６５との間に介在して用紙Ｐを保護すると同時に用紙Ｐを挟持するためのシート状部材である。押え体１００は、クリップ体６０のクリップ押え部６５に押圧されていないときにおいても、第３ヒンジ部１０４の端縁からベース体２４の内面に沿うように屈曲しようとしている。そして、押え体１００は、第３ヒンジ部１０４によって厚さ方向に開閉可能である。押え体１００の２つの主面のうちの、外側の主面すなわちクリップ押え部６５に押圧される側の面は、押え体外面１０１であり、内側の主面すなわち被挟持物と接触する面は、押え体内面１０２である。押え体１００は、クリップ押え部６５の押圧部７６によってベース体２４に向かって押え体外面１０２が押え付けられることが可能である。押え体１００は、ポリプロピレンなどの合成樹脂により表紙体２０と一体成形されることが好ましい。例えば、トムソン加工により押え体１００と表紙体２０とは、一体成形される。
第３ヒンジ部１０４は、押え体１００とベース体２４との境界の屈曲部分であり直線状である。
【００３１】
押え体１００は、外力が加えられてない状態において、その弾力性によりベース体２４の内面から離間して厚さ方向に開いた状態となる。例えば、押え体１００は、外力が加えられていない状態において、第３ヒンジ部１０４を中心としてベース体２４に対して９０°より小さい角度で開いた状態となる。
一方、押え体１００は、その外面側すなわち押え体外面１０１からクリップ押え部６５によりベース体２４側に押さえ付けられるときにおいては、ベース体２４と平行にまたはほぼ平行に延在する。そして、ベース体２４との間に被挟持材が載置される時に、クリップ押え部６５の押圧部７６に押え体外面１０１が押圧されることにより、厚さ方向に閉じられ、押え体内面１０２が被挟持材の端縁および／又はその近傍をベース体２４に押え付けて挟持する。
【００３２】
（孔９０）
この発明の一実施の形態に係る孔９０について、図３、図７等に基づいて説明する。
孔９０は、クリップ体６０が押え体１００を介して被挟持物（用紙Ｐ）を挟持するときにクリップ体６０が引っかからずに滑らかに押え体１００を導入するための微小な孔であり、押え体１００とベース体２４との接続部分すなわち第３ヒンジ部１０４近傍の押え体１００に形成されている。具体的には、孔９０は、回転軸７８を中心としてベース体２４に近づく方向に回動するクリップ体６０のクリップ押え部６５の押圧部７６に押え体１００が最初に当接される部分に、形成される。孔９０は、図３に示すように、押え体１００が完全に開いた状態すなわち押え体１００とベース体２４とが同一平面を形成するような状態において、第３ヒンジ部１０４を跨いで押え体１００及びベース体２４に穿孔されて形成されたものである。孔９０は、押え体１００が完全に開いた状態において、例えば、半径が２ｍｍの円形状の孔である。さらに、孔９０は、回転軸７８からクリップ押え部６５の押圧部７６のうち最も近い点である第１当接点７６ａまでの距離と同一の距離を隔てて形成されている。孔９０は、図７に示すように、押え体１００がベース体２４側に屈曲しているか又は完全に閉じている状態においては、平面視において半月状の形状となる。
【００３３】
（被包シート体１２０）
被包シート体１２０は、表紙体２０の一部を構成し、平面視略矩形状であって、ベース体２４よりも少しだけ高さ方向および幅方向の長さが短く、ベース体２４の内面側に配設され、その左端縁及び上端縁の近傍の角部分において、回転軸７８および可動規制部７０を覆うように構成されている。
また、被包シート体１２０は、ベース体２４と被包シート体１２０との間にメモ用紙等の被保持物Ｇが保持されるようにベース体２４と被包シート体１２０を厚さ方向に重ね、被保持物Ｇを保持するための一定領域が確保できるように、被包シート体１２０の下端縁の近傍を下端縁より適宜な幅をもって幅方向に溶着し、かつ右端縁の近傍を右端縁より適宜な幅をもって高さ方向に溶着することにより、ポケット部１４０が形成されている。
この被包シート体１２０の代わりに、ベース体２４の下端縁または右端縁のいずれか一方より延長して被包シート体１２０を形成し、延長したベース体２４の下端縁または右端縁のいずれか一方をベース体２４と重ね合わせ、かつ回転軸７８および可動規制部７０を覆うように折り曲げていてもよい。延長していないベース体２４の下端縁または右端縁と、重ね合わされた被包シート体１２０の折り曲げられていない下端縁又は右端縁とを、前述したように溶着してポケット部１４０を形成することも可能である。
被包シート体１２０は、ポリプロピレン（ＰＰ）などの熱可塑性プラスチック材料により成形される。
【００３４】
（ファイルの製造）
切削されてベース体２４、表表紙部２６および押え体１００となるシート部材（図示しない）と被包シート体１２０とクリップ体６０とを準備する。
当該シート部材をトムソン加工で切削してベース体２４、表表紙部２６、押え体１００、孔９０、クリップ体通路４２、端部通路４４、案内溝部４６及び取付孔４８を形成する。
ベース体２４にクリップ体６０を回転軸７８となる固定部材８２を用いて取り付ける。
ベース体２４の右端縁（第２の端縁）２４ｂの一部と下端縁（第４の端縁）２４ｄとに溶着して被包シート体１２０を取り付ける。
以上により、ファイル１０は製造される。
【００３５】
（開放状態から挟持状態への作用効果）
この発明の一実施の形態に係るファイル１０の挟持構造４０が奏する作用効果を、図８（Ａ）、図８（Ｂ）、図９および図１１を用いて説明する。図８Ａは、ファイル１０が被挟持材を開放している状態から挟持する過程のうちの、クリップ体６０の押圧部７６が押え体１００に最初に当接する直前の状態の拡大平面図である。図８Ｂは、図８Ａの少し後の瞬間の状態であって、クリップ体６０の押圧部７６が押え体１００に最初に当接した瞬間から少し進んだ状態の拡大平面図である。図９は、（Ａ）が図８ＡのＩＸ−ＩＸ断面図であり、（Ｂ）が（Ａ）のＩＸＢ−ＩＸＢ断面図であって押え体およびその孔のみを表した図である。図１１は、ファイル１０が被挟持材を開放している状態から挟持する過程において、クリップ体６０の第１当接点７６ａが描く軌跡を強調して描いた図であり、（Ａ）はこの発明に係る孔９０がない場合の拡大平面図であり、（Ｂ）はこの発明に係る孔９０がない場合の断面図であり、（Ｃ）はこの発明に係る孔９０がある場合の拡大平面図であり、（Ｄ）はこの発明に係る孔９０がある場合の断面図である。なお、図１１においては、クリップ体６０および被挟持材は省略して図示している。
【００３６】
クリップ押え部６５の短手端縁６５ｓは、押え体１００の押え体外面１０１に乗り上げようとする際に、第３ヒンジ部１０４に引っかかりやすい性質がある。一方、クリップ押え部６５の長手方向に延在する押圧部７６は、押え体１００の押え体外面１０１に乗り上げようとする際に、直線状に延在していることから、第３ヒンジ部１０４に引っかかりにくいという性質がある。
【００３７】
開放状態にあるクリップ体６０がベース体２４に近づく方向に回動して、クリップ押え部６５の最初に当接すべき点である第１当接点７６ａが孔９０に進入した後、孔９０が第３ヒンジ部１０４を跨いで押え体外面１０１に形成されていることから、第３ヒンジ部１０４に引っかかりにくい性質を有するクリップ押え部６５の押圧部７６は、短手端縁６５ｓよりも先に第３ヒンジ部１０４に接触することが可能となる。
【００３８】
そして、孔９０の半径に相当する長さ分、第１当接点７６ａが押え体１００側（右側）に進入して、クリップ体６０が押え体１００側（右側）へ回転するので、押圧部７６と第３ヒンジ部１０４との間のなす内角が小さくなることにより、押圧部７６は更に滑らかに押え体外面１０１に乗り上げやすくなる。
そして、押え体１００は、クリップ体６０の回動に伴い、クリップ押え部６５により閉じられる方向に孔９０を起点として連続的に押え体外面１０１が押圧されることによって、閉じられる。
この作用効果は、孔９０の位置・形状を適宜変更することで、更に顕著となる。
【００３９】
言い換えると、図８Ａの状態からクリップ体６０が反時計回り（左回り）に回動し、クリップ押え部６５の押圧部７６の第１当接点７６ａが、第３ヒンジ部１０４から孔９０の半径に相当する長さを押え体１００側に進入し、孔９０を通過して押え体外面１０１に到達すれば、孔９０の半径の長さ分クリップ押え部６５が平面視において押え体１００に進入しているため、クリップ押え部６５の押圧部７６と第３ヒンジ部１０４とがなす内角は小さくなり、孔９０を起点として、クリップ体６０の回動に伴い、クリップ押え部６５の押圧部７６により閉じられる方向に連続的に押え体外面１０１が押圧されることによって、押え体１００は閉じられる。すなわち、押え体１００とベース体２４または被包シート体１２０との間に被挟持材である用紙Ｐは挟持される。さらに、孔９０の大きさは、適宜変更されるとしても微小な大きさであることから、クリップ押え部６５の押圧部７６が孔９０の内側に露出し得る被挟持材である用紙Ｐを傷つけることがない。
加えて、孔９０の大きさや位置・形状を、クリップ体６０の大きさや形状等に合わせて適宜変えることで、クリップ体６０と押え体１００との接触する角度を変えることができ、さらにクリップ体６０が押え体１００を導入しやすいように調整することができる。
【００４０】
また、ファイル１０において孔９０が奏する作用効果を別の観点で説明すると、図１１（Ａ）、（Ｂ）に示すように、孔９０が形成されていない押え体１００（従来の押え体）において、クリップ体６０が回転軸７８を中心としてベース体２４に近づく方向に回動する際に、クリップ押え部６５の押圧部７６の、最初に押え体１００に当接するところである第１当接点７６ａは、クリップ体６０がその内側に押え体１００を最初に導入するために、第３ヒンジ部１０４が有するベース体２４および押え体１００のシート２枚分の厚みを瞬時に乗り越えなければならない。
このとき、クリップ体６０を回動する人の手がクリップ体６０に与えるべきエネルギーは、シート２枚分の厚みに相当する位置エネルギーである。
一方、図１１（Ｃ）、（Ｄ）に示すように、孔９０が形成されている押え体１００（今回の押え体）において、押圧部７６の第１当接点７６ａは、孔９０の縁をなぞるようにして連続的に押え体外面１０１に乗り上げていく。例えば、図８Ａおよび図９に示すように、孔９０の左側少し手前の位置に、押え体１００に最初に当接すべき第１当接点７６ａが位置しているが、その少し後の瞬間では、図８Ｂに示すように、第１当接点７６ａが孔９０の縁をなぞるように位置している。
これにより、クリップ体６０を回動する人の手がクリップ体６０に与えるべき、クリップ体６０がその内側に押え体１００を最初に導入する際に必要とされる位置エネルギーの単位時間当たりの上昇量は、小さくなる。すなわち、クリップ体６０を回動する人の手がクリップ体６０が押え体を最初に導入する際になすべき仕事率は、第３ヒンジ部１０４が有する押え体１００及びベース体２４からなるシート２枚分の厚みを瞬時に乗り越えるよりも、低いものとなる。したがって、クリップ体６０を回動する人の手がクリップ体６０が押え体１００を最初に導入する際に必要とされる力の大きさも、回動速度が同じであれば、小さいものとなる。
【００４１】
したがって、ファイル１０によれば、クリップ体６０を構成する部品点数が少なく、クリップ体６０のデザイン変更の幅が大きく、さらに、クリップ体６０を用いて被挟持材を挟持する際に引っかからずに滑らかに挟持することが可能である。
【００４２】
（挟持状態）
ファイル１０が被挟持材を挟持している状態において、クリップ体６０は、その可動規制部７０が表紙体２０に穿設された案内溝部４６の上端部に位置する。また、クリップ基部６２は、その上端縁がベース体２４の左端縁２４ａに沿って延び、且つその内面がベース体２４の左端縁２４ａおよびその近傍の外面と相対する。さらに、クリップ押え部６５は、その上端縁がベース体２４の左端縁２４ａに沿って延び、且つその内面が表表紙部２２の左端縁およびその近傍の内面と相対する。そして、クリップ側部６４は、ベース体２４の左端縁２４ａに沿って延在する。さらに、押え体１００は、ベース体２４の内面と相対する。
【００４３】
次に、この発明の一実施の形態に係るファイル１０を挟持状態から開放状態に切り替える過程について説明する。
【００４４】
挟持状態のクリップ体６０を指掛部６８に指を掛けて回転軸７８を中心に内面側から平面視して右回転（時計回り）させていくと、可動規制部７０がベース体２４に穿設された案内溝部４６に案内されて可動範囲を規制されながら略下方へと移動する。このとき、クリップ押え部６５によりベース体２４の内面側へと押さえ付けられていた押え体１００は、クリップ押え部６５による押え付けがなくなるため、第３ヒンジ部１０４を中心として厚さ方向と高さ方向の交わる平面においてベース体の右端縁２４ｂ側から見て押え体１００の先端がベース体から厚さ方向の上向きに離間し、第３ヒンジ部１０４に対して厚さ方向に開いていく。
【００４５】
＜他の実施の形態＞
以下、この発明の他の実施の形態に係るファイル１０Ａについて、図１２ないし図１６に基づいて説明する。なお、この実施の形態では、クリップ押え部および押え体の構造のみ上述の一実施の形態と異なり、他の構造は同様である。したがって、同一部分には同じ符号を付し、同様の説明は繰り返さないこととする。
【００４６】
図１４に示すように、クリップ押え部６５の押圧部７６には、その延在する長手方向に亘って、１つ又は複数の突起が形成されている。すなわち、押圧部７６は、１つ又は複数の突起を有している。１つ又は複数の突起は、例えば３つの突起７６ｐ１、７６ｐ２、７６ｐ３である。３つの突起７６ｐ１、７６ｐ２、７６ｐ３は、後述する押え体１００に形成される突起挿通孔１００ｈ１、１００ｈ２、１００ｈ３を挿通して、被挟持材の端縁および／又はその近傍を直接的に押圧するためのものである。
【００４７】
３つの突起７６ｐ１、７６ｐ２、７６ｐ３は、延在する押圧部７６の長手方向のうちの、中間近傍から回転軸７８から離れている側の端縁にかけて形成されている。具体的には、押圧部７６（クリップ押え部６５）の長手方向の長さの中間近傍に突起７６ｐ１が形成され、押圧部７６（クリップ押え部６５）の長手方向の回転軸７８から離れている側の端縁近傍に突起７６ｐ３が形成され、突起７６ｐ１と突起７６ｐ３との中間近傍に突起７６ｐ２が形成されている。３つの突起７６ｐ１、７６ｐ２、７６ｐ３の形状は、同一の形状であり、押圧部７６の長手方向に若干伸びた直方体形状である。３つの突起７６ｐ１、７６ｐ２、７６ｐ３の厚さ方向の長さは、少なくとも押え体１００を構成するシートの厚さよりも長い。したがって、後述するように、３つの突起７６ｐ１、７６ｐ２、７６ｐ３が３つの突起挿通孔１００ｈ１、１００ｈ２、１００ｈ３を挿通した場合に、その先端は、押え体１００の押え体内面１０２よりもベース体２４側又は被包シート体１２０側に位置することとなる。
【００４８】
図１３に示すように、押え体１００は、押え体外面１０１から押え体内面１０２に貫通し前記１つ又は複数の突起に対応する１つ又は複数の突起挿通孔例えば３つの突起挿通孔１００ｈ１、１００ｈ２、１００ｈ３が形成されている。具体的には、図１５および図１６に示すように、クリップ体６０がベース体２４に近づく方向に回動して最も近づいた状態において、すなわち完全にクリップ体６０のクリップ押え部６５（押圧部７６）の長手方向がベース体２４の第１の端縁２４ａと平行になった状態において、クリップ体６０の押圧部７６の３つの突起７６ｐ１、７６ｐ２、７６ｐ３が押え体１００の押え体外面１０１上で位置する場所に対応して、３つの突起挿通孔１００ｈ１、１００ｈ２、１００ｈ３が形成されている。すなわち、３つの突起７６ｐ１、７６ｐ２、７６ｐ３のクリップ側部６４までの幅方向の距離と、３つの突起挿通孔１００ｈ１、１００ｈ２、１００ｈ３の第３ヒンジ部１０４までの幅方向の距離と、は同一である。３つの突起７６ｐ１、７６ｐ２、７６ｐ３のそれぞれの回転軸７８までの距離と、３つの突起挿通孔１００ｈ１、１００ｈ２、１００ｈ３のそれぞれの回転軸７８までの距離と、は同一である。そして、３つの突起７６ｐ１、７６ｐ２、７６ｐ３を高さ方向と幅方向が交わる平面で切断した断面形状は、３つの突起挿通孔１００ｈ１、１００ｈ２、１００ｈ３の当該平面視における形状と一致する。
【００４９】
（開放状態から挟持状態への作用効果）
この発明の他の実施の形態に係るファイル１０Ａの挟持構造４０が奏する作用効果を、図８（Ａ）、図８（Ｂ）、図１５および図１６（Ａ）、（Ｂ）を用いて説明する。なお、図８（Ａ）および図８（Ｂ）は、この発明の一実施の形態に係るファイル１０に関する図であるが、孔９０と押圧部７６の第１当接点７６ａとの接触前後においては、他の実施の形態に係るファイル１０Ａにおいても同様の状態であるので、ファイル１０Ａの挟持構造４０が奏する作用効果の説明にも用いるものである。
【００５０】
図８（Ａ）のクリップ体６０の押圧部７６が押え体１００に最初に当接する直前の状態から、図８Ｂのクリップ体６０の押圧部７６が押え体１００に最初に当接した瞬間から少し進んだ状態への、クリップ体６０の回転軸７８を中心とするベース体２４に近づく方向への回動に伴い、押え体１００は、クリップ押え部６５の押圧部７６により閉じられる方向に孔９０を起点として連続的に押え体外面１０１が押圧されることによって、閉じられ始める。
【００５１】
そして、図１５の挟持状態に至るまで、クリップ体６０が更に回動して、クリップ押え部６５の押圧部７６は、押え体外面１０１上を摺動しながら押え体外面１０１を押圧して、押え体１００を閉じる。このとき、押圧部７６は、被挟持材に直接当接しているのではなく、押え体１００を介しながら摺動しているので、被挟持材を損傷することがない。クリップ体６０が図１５の位置、すなわち押圧部７６が第３ヒンジ部１０４又は第１の端縁２４ａと平行になる位置まで回動すると、押え体１００は完全に閉じられた状態（図４の（Ｂ）に示される押え体１００の状態）となる。
【００５２】
そして、押え体１００が完全に閉じられた状態においては、図１６（Ａ）、（Ｂ）に示すように、押圧部７６の３つの突起７６ｐ１、７６ｐ２、７６ｐ３は、押え体１００に形成された３つの突起挿通孔１００ｈ１、１００ｈ２、１００ｈ３を挿通している。そして、押圧部７６が押え体外面１０１をベース体２４又は被包シート体１２０に押え付けて押え体１００を閉じるとともに、押圧部７６が有する３つの突起７６ｐ１、７６ｐ２、７６ｐ３の厚さ方向の長さは、押え体１００の厚さよりも長いので、３つの突起７６ｐ１、７６ｐ２、７６ｐ３の先端は、被挟持材の被挟持材の端縁および／又はその近傍を直接的に押圧して、ベース体２４又は被包シート体１２０に押え付ける。
すなわち、クリップ体６０の回動後、押圧部７６の１つ又は複数の突起である３つの突起７６ｐ１、７６ｐ２、７６ｐ３は、押え体１００の１つ又は複数の突起挿通孔である３つの突起挿通孔１００ｈ１、１００ｈ２、１００ｈ３を挿通して、被挟持材の端縁および／又はその近傍を直接的に押圧してベース体２４又は被包シート体１２０に押え付けて挟持する。
【００５３】
この３つの突起７６ｐ１、７６ｐ２、７６ｐ３を有するクリップ体６０と、３つの突起挿通孔１００ｈ１、１００ｈ２、１００ｈ３を有する押え体１００と、によって構成される挟持構造４０を備えるファイル１０Ａによれば、クリップ体６０とベース体２４とによって直接的に被挟持材を挟持することができる。さらに、図１５、図１６（Ａ）および図１６（Ｂ）に示すように、３つの突起７６ｐ１、７６ｐ２、７６ｐ３は、それぞれしっかりと３つの突起挿通孔１００ｈ１、１００ｈ２、１００ｈ３に嵌っているので、意図せずクリップ体６０がベース体２４から時計回りに回動して被挟持材の挟持状態を開放してしまうことを防止することができる。
【００５４】
以上のように、本発明の実施の形態は、前記記載で開示されているが、本発明は、これに限定されるものではない。
すなわち、本発明の技術的思想及び目的の範囲から逸脱することなく、以上説明した実施の形態に対し、機序、形状、材質、数量、位置又は配置等に関して、様々の変更を加えることができるものであり、それらは、本発明に含まれるものである。
【００５５】
（孔の変形例）
例えば、孔９０は、微小な孔であればよく、その形状・大きさは特定のものに限定されないが、形状については、孔９０の縁をクリップ押え部６５の押圧部７６特に第１当接点７６ａがなぞることができるような形状であればよく、例えば、四角形状、ひし形形状、楕円形状、真円形状であってもよく、大きさについては、押え体１００に閉じられて挟持される被挟持材（用紙Ｐ）が穴から露出することとなっていたとしても、クリップ体６０のクリップ押え部６５の押圧部７６がその被挟持材（用紙Ｐ）の端縁を損傷しない程度の大きさであればよい。
また、孔９０は、第３ヒンジ部１０４を跨いで押え体１００及びベース体２４に穿孔されたものに限定されず、第３ヒンジ部１０４から押え体１００側にのみ穿孔されて形成されていてもよい。この場合においても、クリップ体６０のクリップ押え部６５は、孔９０の縁をなぞるようにして連続的に押え体外面１０１に乗り上げていくことが可能である。
さらに、孔９０は、貫通された孔には限定されず、押え体１００に形成された窪みであってもよい。この場合においても、クリップ体６０のクリップ押え部６５は、孔９０の縁をなぞるようにして連続的に押え体外面１０１に乗り上げていくことが可能である。
【００５６】
（その他の変形例）
ファイル１０、１０Ａは、ガイド部６６がクリップ体６０に設けられていなくても、クリップ体６０を構成する部品点数が少なく、クリップ体６０のデザイン変更の幅が大きく、さらに、クリップ体６０を用いて被挟持材を挟持する際に引っかからずに滑らかに挟持することが可能である。
同様に、ファイル１０、１０Ａは、表表紙部２２が設けられていなくても、同様に作用効果を奏する。
クリップ体６０の長手方向の長さは、ベース体２４の左端縁２４ａの長さの４分の１以上２分の１以下の長さであればよい。この長さであれば、クリップ体６０および押え体１００を挟持構造４０とするファイル１０、１０Ａにおいて、被挟持材である用紙Ｐの保持力が十分に確保できるとともに、クリップ体６０の操作のしやすさが確保できる。
押圧部７６に形成される突起の個数は、上述した３つに限定されず、１つ以上の個数であればよい。
【符号の説明】
【００５７】
１０、１０Ａ  ファイル
２０  表紙体
２２  表表紙部
２４  ベース体（裏表紙部）
２４ａ  ベース体の左端縁（第１の端縁）
２４ｂ  ベース体の右端縁（第２の端縁）
２４ｃ  ベース体の上端縁（第３の端縁）
２４ｄ  ベース体の下端縁（第４の端縁）
２６  背表紙部
２８  第１ヒンジ部
３０  第２ヒンジ部
４０  挟持構造
４２  クリップ体通路
４４  端部通路
４６  案内溝部
４８  取付孔
６０  クリップ体
６２  クリップ基部
６４ａ  境界（６２と６４）
６４ｂ  境界（６４と６５）
６４  クリップ側部
６５  クリップ押え部
６５ｓ  クリップ押え部の短手端縁
６６  ガイド部
６８  指掛部
７０  可動規制部
７６  押圧部
７６ａ  第１当接点
７６ｐ１〜７６ｐ３  突起
７８  回転軸
８０  回転軸孔
８２  固定部材
８２ａ  固定部材頭部
８２ｂ  固定部材脚部
９０    孔
１００  押え体
１００ｈ１〜１００ｈ３  突起挿通孔
１０１  押え体外面
１０２  押え体内面
１０４  第３ヒンジ部
１２０  被包シート体
１４０  ポケット部
Ｐ  用紙
Ｇ  被保持物
【図１】
2019030978.tif 000003
【図２】
2019030978.tif 000004
【図３】
2019030978.tif 000005
【図４】
2019030978.tif 000006
【図５】
2019030978.tif 000007
【図６】
2019030978.tif 000008
【図７】
2019030978.tif 000009
【図８Ａ】
2019030978.tif 000010
【図８Ｂ】
2019030978.tif 000011
【図９】
2019030978.tif 000012
【図１０】
2019030978.tif 000013
【図１１】
2019030978.tif 000014
【図１２】
2019030978.tif 000015
【図１３】
2019030978.tif 000016
【図１４】
2019030978.tif 000017
【図１５】
2019030978.tif 000018
【図１６】
2019030978.tif 000019